(57)【特許請求の範囲】
【請求項１】
複写の許諾に関する情報がディジタル化された映像信号または音声信号に電子透かしとして重畳されて生成された映像データまたは音声データに、誤り訂正のための誤り訂正符号が付加され、更に記録媒体に適した変調則に従って変調されて記録された、再生専用媒体もしくは記録可能媒体から映像データまたは音声データを再生する再生装置であって、
再生する媒体が再生専用媒体であるかどうかを判定する手段と、前記変調則に従った変調されたデータを復調する復調手段と、前記復調手段によって復調された復調済データを保持する一時記憶手段と、前記一時記憶手段に蓄えられた復調済データに対し、前記誤り訂正符号により誤り訂正処理を行なう誤り訂正手段と、前記一時記憶手段に蓄えられた誤り訂正処理済データから、電子透かしとして重畳された複写の許諾に関する情報を再生する手段と、前記複写の許諾に関する情報が複写１回許可であり、再生する媒体が再生専用媒体であるとの判定のとき、前記複写の許諾に関する情報が再生処理済であるデータを、出力停止処理する出力制御手段と、を備えた映像データまたは音声データ再生装置。
【請求項２】
請求項１記載の映像データまたは音声データ再生装置において、前記一時記憶手段はＲＡＭであることを特徴とする映像データまたは音声データ再生装置。
【請求項３】
請求項２記載の映像データまたは音声データ再生装置において、前記復調手段と、前記誤り訂正手段と、前記複写許諾情報再生手段は、それぞれ、前記ＲＡＭに接続されていることを特徴とする映像データまたは音声データ再生装置。
【請求項４】
請求項３記載の映像データまたは音声データ再生装置において、前記ＲＡＭが単一なＲＡＭで構成されていることを特徴とする映像データまたは音声データ再生装置。
【請求項５】
前記複写許諾情報再生手段と、前記復調手段と、前記誤り訂正手段と、前記ＲＡＭが、単一の半導体デバイスに統合されていることを特徴とする請求項２記載の映像データまたは音声データ再生装置。
【請求項６】
複写の許諾に関する情報がディジタル化された映像信号または音声信号に電子透かしとして重畳されて生成された映像データまたは音声データに、誤り訂正のための誤り訂正符号が付加され、更に記録媒体に適した変調則に従って変調されて記録された、再生専用媒体もしくは記録可能媒体から映像データまたは音声データを再生する再生装置であって、
再生する媒体が再生専用媒体であるかどうかを判定する手段と、
前記変調則に従った復調手段と、
前記復調手段によって復調された復調済データを保持する一時記憶手段と、前記一時記憶手段に蓄えられた復調済データに対し、前記誤り訂正符号に従った誤り訂正処理を行なう誤り訂正手段と、
前記一時記憶手段に蓄えられた誤り訂正処理済の映像データまたは音声データから電子透かしとして重畳された複写の許諾に関する情報を再生する手段と、
前記複写許諾情報再生手段からの複写許諾情報が複写１回許可であり、再生する媒体が再生専用媒体であるとの判定のとき、映像データまたは音声データの再生を停止する手段が、単一の半導体デバイスに統合されていることを特徴とする映像データまたは音声データ再生装置。
【請求項７】
複写の許諾に関する情報がディジタル化された映像信号または音声信号に電子透かしとして重畳されて生成された映像データまたは音声データに、誤り訂正のための誤り訂正符号が付加され、更に記録媒体に適した変調則に従って変調されて記録された、再生専用媒体もしくは記録可能媒体から映像データまたは音声データを再生する再生する再生方法であって、
再生する媒体が再生専用媒体であるかどうかを判定し、前記復調手段によって復調し、復調されたデータを前記一時記憶手段に蓄え、前記一時記憶手段に蓄えられた復調済のデータに対し、誤り訂正を行い、誤り訂正結果を前記一時記憶手段のデータに反映させ、前記一時記憶手段に蓄えられた訂正処理済のデータから電子透かしとして重畳された複写の許諾に関する情報を再生処理し、前記複写の許諾に関する情報が複写１回許可であり、再生する媒体が再生専用媒体であるとの判定のとき、映像データまたは音声データの再生を停止することを特徴とする再生方法。
【発明の詳細な説明】
【０００１】
【発明の属する技術分野】
本発明は、光学式記憶媒体等のメディアに記録された再生装置に係り、特にメディアに記録された信号の著作権保護を可能とする技術に関する。
【０００２】
【従来の技術】
ＭＰＥＧ２を用いて圧縮したＡＶ信号を記録するＤＶＤは、ＡＶ信号をディジタルデータとして取り扱う事から、品質の劣化なくＡＶ信号を複写する事ができるという問題があった。
【０００３】
これに対しては、日経エレクトロニクス（1997.2.24 99p−123P）記載の様に、複写に関し許可、禁止、1世代のみの許可等の情報をユーザーに検知できないように重畳させる電子透かしの技術が紹介されている。前記の技術では検出された信号に従って、アナログ出力に対し複写防止処理を施す方法などが記載されている。
【０００４】
【発明が解決しようとする課題】
しかしながら、放送などに１回のみ複写を許可するメディアが存在した場合、ＤＶＤ−Ｒディスク（１回記録可能）などに複写された後、ＤＶＤ−ＲディスクからＤＶＤ−ＲＯＭに複製された海賊版ディスクにたいし、各ユーザーのプレーヤの再生を制限する事により、著作権保護を行うことに関しては、考慮されていない。
【０００５】
放送などで１回のみ複写が許可された場合、ＤＶＤ−Ｒディスク（１回記録可能）、ＤＶＤ−ＲＡＭディスク（書き換え可能）などに記録された後、ＤＶＤ−ＲＯＭに違法に複写されて作成された海賊版ディスクにたいし、一般ユーザーが所持するＤＶＤ−ＲＯＭ／Ｒ／ＲＡＭの各ディスクを再生可能なプレーヤでの再生を停止させることにある。また、再生を禁止させた場合、ユーザーに再生停止の原因を正しく報告する手段を構築することにある。
【０００６】
さらに、複写の許可、禁止を制御するために、電子透かしの技術により埋め込まれたデータを検出する機能をもつシステムの、その動作については前記従来の技術には記載されていなく、また、埋め込まれたデータを検出する機能を持つシステムの構成についても記載されていない。
【０００７】
埋め込まれたデータを検出する機能をハードで構成した場合には、その構成により回路規模が大きく異なってしまう。そのため適切なシステムを構築することが課題となる。また、電子透かしの技術により埋め込まれたデータを検出する機能を簡単に改ざんされることなく、確実に複写の許可、禁止を制御するための埋め込まれたデータを検出することが課題となる。
【０００８】
【課題を解決するための手段】
上記目的を達成するために、本発明は、複写の許諾に関する情報がディジタル化された映像信号または音声信号に電子透かしとして重畳されて生成された映像データまたは音声データに、誤り訂正のための誤り訂正符号が付加され、更に記録媒体に適した変調則に従って変調されて記録された、再生専用媒体もしくは記録可能媒体から映像データまたは音声データを再生する再生装置であって、再生する媒体が再生専用媒体であるかどうかを判定する手段と、前記変調則に従った変調されたデータを復調する復調手段と、前記復調手段によって復調された復調済データを保持する一時記憶手段と、前記一時記憶手段に蓄えられた復調済データに対し、前記誤り訂正符号により誤り訂正処理を行なう誤り訂正手段と、前記一時記憶手段に蓄えられた誤り訂正処理済データから、電子透かしとして重畳された複写の許諾に関する情報を再生する手段と、前記複写の許諾に関する情報が複写１回許可であり、再生する媒体が再生専用媒体であるとの判定のとき、前記複写の許諾に関する情報が再生処理済であるデータを、出力停止処理する出力制御手段と、を備えた映像データまたは音声データ再生装置とすることで上記の課題は達成される。
【０００９】
さらに、複写の許諾に関する情報を再生する手段と、復調手段と、誤り訂正手段と、ＲＡＭが、単一の半導体デバイスに統合されていることで上記の課題は達成される。
【００１０】
【発明の実施の形態】
本発明の第１の実施例を図面を用いて説明する。
【００１１】
図１は、本発明の１実施例であるＤＶＤ再生装置のブロック図を示す。１０１は映像データ等が記録されたＤＶＤ−ＲＯＭディスクまたはＤＶＤ−ＲディスクまたはＤＶＤ−ＲＡＭディスクである。なお、本実施例に於いては、前記各ディスクには、複製許諾情報が重畳されている映像データまたは、音声データが記録されている事と、重畳されている複写許諾情報は元の映像データまたは音声データの品質を著しく落とさずには変更できない事、映像データまたは音声データには、更にディスクの識別コード（再生専用ディスクか否かを識別できるコード）が付加されていることを前提とする。
【００１２】
１０２はディスク１０１より信号を検出する光ピックアップ、１０３は光ピックアップで検出された信号に対し、増幅、波形等価等を行うプリアンプ、１０４は記録媒体に適した変調則に従って変調されたデータを再生した信号を２値化するとともに、ビット同期、復調を行う復調手段、１０５は復調された再生データが一時的に貯えられるＲＡＭ、１０６は復調されてＲＡＭ１０５に貯えられた誤り訂正符号が付加されたデータに対し誤り訂正処理を行う誤り訂正手段、１０７は映像データ等と共にディスクに記録されたディスクの識別コードを検出する手段、１０８は映像データから重畳されている複製許諾情報を検出する検出する手段、１０９は検出された識別コードと、複製許諾情報よりディスク再生停止信号１１４を生成する手段、誤り訂正手段１０６はディスク再生停止信号１１４が発生した場合は、データを訂正せずに逆に破壊すると同時に、訂正不能フラグ１１８を発生する。
【００１３】
１１０は、再生不能を示す映像データ（文字、イラスト等）もしくは音声信号を生成するメッセージ情報生成手段、１１１はディスク再生停止信号に従って、１０５に貯えられた訂正処理済みのデータもしくは１１０からのメッセージ情報を選択する選択手段であり、１１２は選択回路１１１からのデータの出力を行う為のタイミング制御などを執り行う出力制御手段、１１３はデータ出力端子である。
【００１４】
もちろん、コピー禁止でない場合には、出力を止める必要はないので、再生データは、出力制御手段１１２に送られ、出力の転送フォーマットを合せたり、タイミングの制御をしながら出力する。これらは、例えばデータ出力端子１１３がPCに接続する場合には、SCSIやATAPI、IEEE1394、USBなどのバスが考えられる。
【００１５】
１１５はマイコンとのインターフェース、１２１は、１０４、１０５、１０６、１０７、１０８、１０９、１１０、１１１、１１２、１１５の各要素より構成される信号処理１２０を制御するマイクロコントローラである。
【００１６】
本ＤＶＤ再生装置でのディスクの再生を以下に説明する。
【００１７】
ディスク１０１に記録された信号は、ピックアップ１０２で電気信号に変換された後、プリアンプ１０３で増幅、波形等価が行われた後、復調手段１０４にて記録媒体に適した変調則に従って変調されて記録されたデータが再生された信号の２値化、ビット同期、復調が行われる。復調された再生データはいったんＲＡＭ１０５に貯えられる。貯えられたデータに対しては、誤り訂正のための誤り訂正符号が付加された再生データを誤り訂正手段１０６にて誤り訂正処理を行う。訂正された再生データは複製許諾情報検出手段１０８に送られる。複製許諾情報検出手段１０８は再生データから重畳されている複製許諾情報を検出する。
【００１８】
複製許諾情報は記録されているデータが下記のどのタイプのデータかを示す。１）複製可 ２）複製禁止  ３）１世代のみ複製許可済  検出された情報はディスク再生禁止信号生成手段１０９に送られる。ディスク識別コード検出手段１０７は映像データまたは音声データに付加されたディスク識別コードを検出し、ディスク再生停止信号生成手段１０９に結果をおくる。ディスク識別コードは、１）再生専用ディスク ２）記録可能ディスクの識別を行う。
【００１９】
ディスク再生禁止信号生成手段１０９は、複製許諾情報が１世代のみ複製許可済でありかつディスク識別コードが再生専用ディスクと判定された場合には、ディスク再生停止信号１１４をアクティブとする。 ディスク再生停止信号１１４がアクティブとなると、誤り訂正手段１０６はＲＡＭに貯えられている再生データを破壊するとともにマイクロコントローラ１１５にデータ訂正不能のフラグを送る。
【００２０】
メッセージ情報生成手段１１０は、ディスク再生停止信号１１４がアクティブとなると、複写許諾の違反により再生を停止した事を示す映像もしくは音声のメッセージデータを生成する。前記メッセージ情報は、著作権管理団体の連絡先（電話番号、住所等）を含めてもよい。メッセージ情報の生成は生成されたデータを貯えておくＲＯＭ等でも構わない。選択回路１１１は通常は、ＲＡＭから読み出される再生データを選択し、ディスク再生停止信号１１４がアクティブのときは、メッセージ情報生成手段１１０からのメッセージ情報を選択する。
【００２１】
以上、本実施例によれば放送からの１世代のみ複製許可の映像信号または音声信号をいったんＤＶＤ−ＲＡＭもしくはＤＶＤ−Ｒに記録した後、ＤＶＤ−ＲもしくはＤＶＤ−ＲＡＭをベースにＤＶＤ−ＲＯＭに複製した海賊版ディスクの再生を禁止させる事ができる。
【００２２】
また、メッセージ信号を出力する事で、ユーザーが再生装置の故障やディスクの傷などでなく、著作権上の問題によるものであることを認知してもらう事ができる。また、著作権の管理団体への連絡先を表示することで、海賊版作成者の特定を行う為の情報をユーザーから集める事ができる。
【００２３】
また、信号処理１２０を単一の半導体チップとした場合、著作権違反の場合にデータの破壊も行っている為、マイクロコントローラのソフトウエアを改ざんし訂正不能フラグを無視するようにしたとしても、データは破壊されているので、読み出す事はできない。
【００２４】
よって、ディスク再生停止信号生成手段１０９におけるディスク再生停止信号１１４をアクティブにする条件を複製許諾情報が１世代のみ複製許可済でありかつディスク識別コードが再生専用ディスクと判定された場合、もしくは複製許諾情報が複製禁止でありかつ識別コードが記録可能ディスクと判定された場合とすると複製禁止のディスクを違法に記録したＤＶＤ−Ｒ／ＲＡＭの再生も防ぐ事ができる。従って、本実施例によれば著作権の保護が十分に行える再生装置を提供できる。
【００２５】
このように、複製許諾情報検出手段１０８による検出を復調手段１０４及び誤り訂正手段１０６と、出力制御手段１１２との間で行い、つまり、複製許諾制御情報を検出するのに適した再生信号を複製許諾情報検出手段１０８が受け取り、検出処理し、この検出処理の結果に従って、出力制御手段１１２が出力制御を行うようにすることで、ＲＡＭ１０５を前記再生のための各手段の処理で兼用でき回路規模を小さくすることができる。
【００２６】
また、信号処理１２０は、図１からも明らかなように、このような一つのLSIとして内部を修正しにくい構成とすれば、改ざんを困難にする事が出来る。
【００２７】
ここで、信号処理１２０は、図１に示すシステムのようにMPEGデコーダを持たないシステムの場合には、誤り訂正後のデータを出力する。更に、信号処理１２０は、図１に示していないが、記録されたデータがＭＰＥＧで圧縮された画像データでありMPEGデコーダまで備えているシステムの場合には、復調や誤り訂正だけでなく、MPEGデコード(伸長処理)後のデータを出力する。
【００２８】
MPEGデコーダまで備えているシステムで有っても無くても、いずれも１つのＬＳＩで構成される方がシステムの改ざんを防止できる。
【００２９】
次に、本発明の第２の実施例を図面を用いて説明する。
図２は第２の実施例であるＤＶＤ再生装置のブロック図である。
【００３０】
本実施例で再生するディスク１０１はＤＶＤ−ＲＯＭまたはＤＶＤ−ＲまたはＤＶＤ−ＲＡＭを対象としており、そのうちＤＶＤ−ＲＡＭ／Ｒは溝状のトラックがウォブリングされている。従って、トラッキングのためのプッシュプル信号はウォブルによって変調を受ける。このウォブルは記録時にトラッキングを行うために必要で有り、再生専用ディスクには存在しない。
【００３１】
本実施例は以下の3点以外は第１の実施例と同一である。１）ウォブル検出手段１１６を設けた事。２）プリアンプ１０３にプッシュプル信号の端子を設けウォブル検出手段１１６に接続した点。３）ディスク再生停止信号停止手段１０９がウォブル検出手段１１６でウォブル無しと判定されるかもしくはディスク識別コード検出手段１０７で再生専用ディスクと判定され、同時に複製許諾情報検出手段１０８で１世代複製許可済と判定された時に、ディスク再生停止信号をアクティブとする点。
【００３２】
本実施例では、第１の実施例と同様にデータが再生されると同時にウォブルの検出をウォブルの検出手段１１６で行う。ディスク再生停止信号停止手段１０９は、ウォブル検出手段１１６、ディスク識別コード検出手段１０７の何れかで再生専用ディスクと判定され、同時に複製許諾情報検出手段１０８で１世代複製許可済と判定された時に、ディスク再生停止信号をアクティブとする。従って、ディスク識別コードを書き換えられても、確実に再生を禁止する。
【００３３】
以上、本実施例によれば放送からの１世代のみ複製許可の映像信号または音声信号をいったんＤＶＤ−ＲＡＭもしくはＤＶＤ−Ｒに記録した後、ＤＶＤ−ＲもしくはＤＶＤ−ＲＡＭをベースにＤＶＤ−ＲＯＭに複製した海賊版ディスクの再生を禁止させる事ができる。本実施例では、再生専用ディスクであるという条件をウォブルがないもしくは識別コードが再生専用ディスクであるの何れかとする事により、海賊版の検出を確実に行うようにしているが、識別コードが再生専用ディスクであることを判定条件から除いても実施例１と同様の効果が得られる。
【００３４】
また、実施例１と同様に、ＲＡＭ１０５を前記再生のための各手段の処理で兼用でき回路規模を小さくすることができる。信号処理１２０は、一つのLSIとして内部を修正しにくい構成とすれば、改ざんを困難にする事が出来る。
【００３５】
次に、本発明の第３の実施例を図面を用いて説明する。
図３は第３の実施例であるＤＶＤ再生装置のブロック図である。
【００３６】
本実施例は以下の３点以外は第１の実施例と同一である。１）反射率識別回路１１７を設けた事。２）プリアンプ１０３反射率の情報を出力する端子を設け反射率識別回路１１７に接続した点。３）ディスク再生停止信号停止手段１０９が、反射率識別手段１１７、ウォブル検出手段１１６、ディスク識別コード検出手段１０７の何れかで再生専用ディスクと判定され、同時に複製許諾情報検出手段１０８で１世代複製許可済と判定された時に、ディスク再生停止信号をアクティブとする点。
【００３７】
本実施例では、第２の実施例と同様にデータが再生されると同時にプリアンプ１０３から反射率情報を反射率検出手段１１７に送り、反射率識別手段は、反射率の大小にしきい値を設けしきい値以上のものを再生専用ディスクと識別する。ディスク再生停止信号停止手段１０９は、反射率識別手段１１７、ウォブル検出手段１１６、ディスク識別コード検出手段１０７の何れかで再生専用ディスクと判定され、同時に複製許諾情報検出手段１０８で１世代複製許可済と判定された時に、ディスク再生停止信号をアクティブとする。
【００３８】
従って、ディスク識別コードを書き換えられても、確実に再生を禁止する。本実施例では、再生専用ディスクであるという条件を反射率、ウォブルの有無、識別コードが再生専用ディスクであるの何れかとする事により、海賊版の検出を確実に行うようにしているが、再生専用ディスクと判定する条件を３条件のうちの何れか２条件を判定条件とし２条件が同時に成立した場合、３条件のうちの何れか２条件を判定条件とし何れかが成立した場合、もしくは１条件を判定条件とした場合でも実施例１と同様の効果が得られる。
【００３９】
また、実施例１と同様に、ＲＡＭ１０５を前記再生のための各手段の処理で兼用でき回路規模を小さくすることができる。信号処理１２０は、一つのLSIとして内部を修正しにくい構成とすれば、改ざんを困難にする事が出来る。
【００４０】
次に、本発明の第４の実施例を図面を用いて説明する。
図４は第４の実施例であるＤＶＤ再生装置のブロック図である。
【００４１】
本実施例は、メッセージ情報生成手段１１０の出力を選択回路１１１に出力し、選択回路１１１の出力を出力制御手段１１２に入力するかわりに、メッセージ情報生成手段１１０の出力をＲＡＭライトコントローラ１１９を通してＲＡＭ１０５に書き込む点以外は第３の実施例と共通である。本実施例では、ディスク再生停止信号１１４がアクティブとなった場合、本来出力するべき映像データまたは音声データの上に上書きすることで、第２の実施例のごとく、メッセージ情報生成手段１１０の出力を選択回路１１１に出力し、選択回路１１１の出力を出力制御手段１１２に入力すると同等の効果を得る。
【００４２】
また、実施例１と同様に、ＲＡＭ１０５を前記再生のための各手段の処理で兼用でき回路規模を小さくすることができる。信号処理１２０は、一つのLSIとして内部を修正しにくい構成とすれば、改ざんを困難にする事が出来る。
【００４３】
また、第１〜４の実施例においては、ユーザーへのメッセージ情報を再生装置内で生成しているが、ディスク再生停止情報１１４を出力する端子を設け、ディスク再生停止情報１１４を映像データの表示装置、音声の出力装置、圧縮された映像データまたは音声データの伸長装置等に送り、送られた側の装置でメッセージ情報を生成しても同等の効果が得られる。
【００４４】
【発明の効果】
以上、本発明によれば、複写許諾情報検出手段による検出を、再生信号の処理手段である復調手段及び誤り訂正手段と、出力制御手段の間で行い、つまり、複写許諾制御情報を検出するのに適した再生信号を複写許諾情報検出手段が受け取り、検出処理し、この検出処理の結果に従って、出力制御手段が出力制御を行うようにすることで、再生信号処理を行う各手段で一時記憶手段を兼用でき、回路規模を小さくすることが可能となる。
【００４５】
また、信号処理のＬＳＩを一つのＬＳＩとして内部を修正しにくい構成とすることで、改ざんを困難にする事が出来る。信号処理のＬＳＩは、復調や誤り訂正を行なった後のデータを出力する場合と、更に記録されたデータがＭＰＥＧで圧縮された画像データである場合には伸長処理を行なった後のデータを出力する場合があるが、いずれも１つのＬＳＩで構成される方がシステムの改ざんを防止できる。
【図面の簡単な説明】
【図１】本発明の第１の実施例であるＤＶＤ再生装置のブロック図。
【図２】本発明の第２の実施例であるＤＶＤ再生装置のブロック図。
【図３】本発明の第３の実施例であるＤＶＤ再生装置のブロック図。
【図４】本発明の第４の実施例であるＤＶＤ再生装置のブロック図。
【符号の説明】
１０１…記憶媒体、１０２…ピックアップ、１０３…プリアンプ、１０４…復調手段、１０５…ＲＡＭ、１０６…誤り訂正手段、１０７…ディスク識別コード検出手段、１０８…複製許諾情報検出手段、１０９…ディスク再生停止信号生成手段、１１０…メッセージ情報生成手段、１１６…ウォブル検出手段、１１７…反射率識別回路、１１９…ＲＡＭライトコントローラ。
【図１】
0003890871.tif 000002
【図２】
0003890871.tif 000003
【図３】
0003890871.tif 000004
【図４】
0003890871.tif 000005